(57)【要約】      （修正有）【課題】目的位置への正確かつスムーズな操作性を実現すること。【解決手段】ベース１１０とトップケース１２０からなるハウジング内にトップケースの貫通孔から突出した操作レバー１５０と、操作レバーをベースの同一平面上で任意方向へ水平移動させるスライダー１６０と、ベース上に配置したコモン固定接点と、その周囲に互いに独立して配置した複数のサイド固定接点と、ベースの台座に固定してコモン固定接点に常時接触した可動接点部と、サイド固定接点に対応して設けた複数の可動接点部とを一体化した接点ばね片と、接点ばね片よりも上方で水平に支持されて操作レバーを載置するプレート１８０と、操作レバーの移動先で押圧されて下降動作するとともに、接点ばね片を下方に撓み変形させてその可動接点部をサイド固定接点に接触させるアクチュエータ１７０と、を備えたスライドスイッチを提供する。【選択図】図１２
2007184220.tif 000002
【特許請求の範囲】
【請求項１】
ベースと、
上記ベース上方に設置された操作レバーと、
上記操作レバーを上記ベース上で任意方向へ水平移動させるスライダーと、
上記ベース上に配置されたコモン固定接点と、
上記コモン固定接点から離間して互いに独立して配置された複数のサイド固定接点と、
上記ベースに固定され、上記コモン固定接点に常時接触した接点部と、上記サイド固定接点に対応して設けられた複数の接点部とを一体化した接点ばね片と、
上記接点ばね片よりも上方で水平に支持され、上記操作レバーを載置するプレートと、
上記接点ばね片に当接して上記プレートから突出し、上記操作レバーの移動先で押圧されて下降動作するとともに、この下降動作時に上記接点ばね片を下方に撓み変形させてその接点部を上記サイド固定接点に接触させるアクチュエータと、
を備えたことを特徴とするスライドスイッチ。
【請求項２】
上記アクチュエータは上記プレートから突出する上端面と上記接点ばね片に当接する下端面をともに曲面形状にした押圧体と支軸とを連結部を介して一体化したハンマー型に構成され、上記押圧体が上記支軸を支点にして回動可能に支持されていることを特徴とする請求項１に記載のスライドスイッチ。
【請求項３】
上記押圧体の外側面が上記支軸の軸心から一定距離となるように円弧状に湾曲形成されていることを特徴とする請求項２に記載のスライドスイッチ。
【請求項４】
上記接点ばね片は上記サイド固定接点の一つに対して少なくとも２本以上設けられていることを特徴とする請求項１乃至３のいずれか１項に記載のスライドスイッチ。
【請求項５】
上記アクチュエータは上記プレートから突出する上端面と上記接点ばね片に当接する下端面をともに曲面形状にしたカプセル型の押圧体により構成され、上記押圧体が昇降可能に支持されていることを特徴とする請求項１に記載のスライドスイッチ。
【請求項６】
ベースと、
上記ベース上方に設置された操作レバーと、
上記操作レバーを上記ベース上で任意方向へ水平移動させるスライダーと、
上記ベース上に配置されたコモン固定接点と、
上記コモン固定接点から離間して互いに独立して配置された複数のサイド固定接点と、
上記操作レバーに固定され、上記コモン固定接点に常時接触した接点部と、上記操作レバーとともに移動したときにその移動先に配置された上記サイド固定接点に接触する接点部とを一体化した接点ばね片と、
を備えたことを特徴とするスライドスイッチ。
【請求項７】
上記スライダーは上記ベース上面の平行なガイド溝にスライド可能に嵌合する平行な下バーと、この下バーに直交し上記操作レバー底面の平行なガイド溝にスライド可能に嵌合する平行な上バーとを格子状に一体化して構成されていることを特徴とする請求項１乃至６のいずれか１項に記載のスライドスイッチ。
【請求項８】
車両用自動変速機のゲートに設置され、シフトレバーの動きに連動して上記操作レバーが目的方向へ移動し、その移動先に配置された上記サイド固定接点に対応する独立した制御信号を出力してレンジの切り換えを検出することを特徴とする請求項１乃至７のいずれか１項に記載のスライドスイッチ。
【発明の詳細な説明】
【技術分野】
【０００１】
本発明は多数の接点の切り換えを行うためのスイッチに関する。
【背景技術】
【０００２】
従来、多数の接点の切り換えが可能な多点式スイッチとして、本出願人が先に出願したロータリースイッチがある（下記の特許文献１参照）。このスイッチはベースの各固定接点の上方に先端を可動接点とした各接点ばね片、ローラ状の各中間カム、下面に複数の円弧状の突条を有する円板状のロータを順に設置した構成である。そしてロータの回転動作によりロータ下面の突条に中間カムが乗り上げると同時に垂直降下し、接点ばね片を撓み変形させてその可動接点が固定接点に接触する一方、中間カムが突条から下りると同時に垂直上昇し、接点ばね片を復元させてその可動接点が固定接点から離隔する。これによりロータの回転角度に応じて対応位置の接点どうしが接触し、独立した信号を出力するようになっている。
【０００３】
【特許文献１】特開平９−２３１８６７号公報
【発明の開示】
【発明が解決しようとする課題】
【０００４】
ところで、上記のような多点式スイッチの用途として、例えば車両に搭載された自動変速機に設置してレンジ選択を検出するスイッチとして用いることが考えられる。この種の検出用スイッチは、ドライバーがシフトレバーを操作して目的のレンジ位置へ移動させたとき、そのシフトレバーの動きに連動して作動することにより、選択されたレンジに切り換えたことを検出しなければならない。このためスイッチには目的位置への正確かつスムーズな操作性が求められる。しかしながら、上記のロータリースイッチはロータを中心にした回転運動によりその回転角度に応じて異なる信号を出力する構成であるため、シフトレバーのような同一平面上で前後、左右、斜めといった多方向への動きに連動させることは不可能である。
【０００５】
そこで、本発明はこのような問題を解決するためになされたもので、多数の接点の切り換えを行う多点式スイッチにおいて、特に目的位置への正確かつスムーズな操作性を実現することを目的とする。
【課題を解決するための手段】
【０００６】
本発明のスライドスイッチは上記の目的を達成するため、ベースと、上記ベース上方に設置された操作レバーと、上記操作レバーを上記ベース上で任意方向へ水平移動させるスライダーと、上記ベース上に配置されたコモン固定接点と、上記コモン固定接点から離間して互いに独立して配置された複数のサイド固定接点と、上記ベースに固定され、上記コモン固定接点に常時接触した接点部と、上記サイド固定接点に対応して設けられた複数の接点部とを一体化した接点ばね片と、上記接点ばね片よりも上方で水平に支持され、上記操作レバーを載置するプレートと、上記接点ばね片に当接して上記プレートから突出し、上記操作レバーの移動先で押圧されて下降動作するとともに、この下降動作時に上記接点ばね片を下方に撓み変形させてその接点部を上記サイド固定接点に接触させるアクチュエータと、を備えたことを特徴とする。
【０００７】
また、上記構成からなるスライドスイッチにおいて、上記アクチュエータは上記プレートから突出する上端面と上記接点ばね片に当接する下端面をともに曲面形状にした押圧体と支軸とを連結部を介して一体化したハンマー型に構成され、上記押圧体が上記支軸を支点にして回動可能に支持されている構造を採用することができる。
【０００８】
上記構成を採用した場合、上記押圧体の外側面が上記支軸の軸心から一定距離となるように円弧状に湾曲形成されていることが好ましい。
【０００９】
また、上記接点ばね片は上記サイド固定接点の一つに対して少なくとも２本以上設けられているとよい。
【００１０】
また、上記構成からなるスライドスイッチにおいて、上記アクチュエータは上記プレートから突出する上端面と上記接点ばね片に当接する下端面をともに曲面形状にしたカプセル型の押圧体により構成され、上記押圧体が昇降可能に支持されている構造を採用することができる。
【００１１】
また、本発明のスライドスイッチは、ベースと、上記ベース上方に設置された操作レバーと、上記操作レバーを上記ベース上で任意方向へ水平移動させるスライダーと、上記ベース上に配置されたコモン固定接点と、上記コモン固定接点から離間して互いに独立して配置された複数のサイド固定接点と、上記操作レバーに固定され、上記コモン固定接点に常時接触した接点部と、上記操作レバーとともに移動したときにその移動先に配置された上記サイド固定接点に接触する接点部とを一体化した接点ばね片と、を備えたことを特徴とする。
【００１２】
また、上記構成からなるスライドスイッチにおいて、上記スライダーは上記ベース上面の平行なガイド溝にスライド可能に嵌合する平行な下バーと、この下バーに直交し上記操作レバー底面の平行なガイド溝にスライド可能に嵌合する平行な上バーとを格子状に一体化して構成されていることが好ましい。
【００１３】
本発明のスライドスイッチは、車両用自動変速機のゲートに設置され、シフトレバーの動きに連動して上記操作レバーが目的方向へ移動し、その移動先に配置された上記サイド固定接点に対応する独立した制御信号を出力してレンジの切り換えを検出するスイッチとして好適である。
【発明の効果】
【００１４】
本発明のスライドスイッチは、操作レバーがベース上を水平移動して接点を切り換える構成を採用したことにより、回転方向の狂いやガタつきが生じることがなく、操作レバーを回転させずにあらゆる方向への水平移動が自在であり、目的位置への正確かつスムーズな操作性が得られるという効果がある。
【００１５】
また、本発明のスライドスイッチによれば、サイド固定接点は互いに電気的に独立しているので、操作レバーが移動した先で異なる制御信号が同時に出力される恐れがなく、誤作動を防止できて安全性が高い。
【００１６】
さらに、可動接点をベースに固定する構成を採用すれば、接点ばね片の可動接点部とサイド固定接点との相対的な位置関係が変動しないため、接点どうしの位置ズレが起こらず高精度なスイッチング動作が可能になる。しかもアクチュエータの上端面及び下端面を曲面形状にしたハンマー型やカプセル型に構成することによって、操作レバーがいかなる方向から到来した場合でも必ずアクチュエータに当接して接点ばね片を撓み変形させることができるので、確実な押圧動作が保証される。
【００１７】
特にアクチュエータをハンマー型にし、支軸を支点にして押圧体を回動可能に支持する構造を採用することにより、仮にサイド接点ばね片が曲がっていたとしても、これに当接するアクチュエータが傾くことがなく長期にわたって安定した水平姿勢を維持することができる。さらにはサイド接点ばね片をサイド固定接点の一つに対して少なくとも２本以上設けることにより、いずれかの接点ばね片に異常があっても、残りの接点ばね片が正常であれば接点の切り換えが可能になり、スイッチの動作不良が起こる確率を低減させることができる。
【発明を実施するための最良の形態】
【００１８】
以下、本発明の実施形態について、添付図面を参照しながら説明する。
【００１９】
図１は本発明によるスライドスイッチの適用例として、車両に搭載された自動変速機の外観を示したものである。同図に示すように、このスライドスイッチＳＷは自動変速機１のゲートに設置され、ドライバーの操作によるレンジ選択を検出するスイッチとして利用されている。つまりスライドスイッチＳＷは、シフトレバー２を中心のホームポジションからＰ、Ｎ、Ｒ、Ｄ、２、Ｌの６方向のレンジ位置へ移動させたとき、そのシフトレバー２の動きに連動して作動し、各レンジに切り換えたことを検出して独立した制御信号を出力するものである。
【００２０】
シフトレバー２とスライドスイッチＳＷとの連結構造としては、図示したようにシフトレバー２のロッド３に対して垂直に装着されたリンクバー４を備え、リンクバー先端に形成された円形孔４ａにスライドスイッチＳＷの操作レバーを嵌合して連結する構造を採用している。シフトレバー２は前後方向Ａ、左右方向Ｂへ所定角度の範囲内で傾倒操作可能であり、ドライバーがシフトレバー２を任意の方向に操作したとき、ロッド３の動作がリンクバー４を介してスライドスイッチＳＷに伝達するようになっている。
【００２１】
なお、図１に示した例ではリンクバー４を介してスライドスイッチＳＷをシフトレバー２に連結しているが、これに替えて図２に示すようにボールジョイント５を介して連結してもよい。すなわち、図２に示した例はロッド３とスライドスイッチＳＷの操作レバーとをボール６で連結し、そのボール６を軸受７，７で回動自在に支持した構造である。この構造においてもシフトレバー２の動作がスライドスイッチＳＷに伝達される。
【００２２】
本発明のスライドスイッチＳＷは、この種のスイッチに求められる目的位置への正確かつスムーズな操作性を得られるようにしたことが特徴である。以下、本発明のスライドスイッチＳＷについて、３つの実施例を挙げて説明する。
【００２３】
［第１実施例］
本発明のスライドスイッチの第１実施例を図３〜２０に示す。図３は同スイッチの外観図、図４〜１１は同スイッチを構成する各部品図、図１２は各部品間の配置関係図、図１３〜１６は同スイッチの組み付け図、図１７及び１８は同スイッチの動作説明図、図１９及び２０は同スイッチの回路出力図である。
【００２４】
まず、本実施例のスライドスイッチの構成を説明する。
【００２５】
図３に示すように、本実施例のスライドスイッチＳＷ１は押圧接触式のスイッチであって、ベース１１０とトップケース１２０からなるハウジング内に固定接点パターン１３０と、固定接点パターン１３０の各固定接点に接離する可動接点１４０と、可動接点１４０を作動させる操作レバー１５０、スライダー１６０、アクチュエータ１７０、及びプレート１８０とを備えて構成されている。
【００２６】
図４に示すベース１１０は絶縁性プラスチックからなり、平坦な上面を有する床板１１１が設けられ、床板１１１の左右両縁に沿って延びる平行な２本の縦ガイド溝１１２，１１２が形成されている。床板１１１の前面、後面、及び左右両側面には部品収容のための空間を形成する内壁１１３，１１３，…が設けられ、各々の内壁１１３の外側には係止爪１１４が突設されている。
【００２７】
図５に示す固定接点パターン１３０は導電性の金属板で成形され、接点パターンとして同図のような１組２本のコモン固定接点１３１，１３１と６組１２本のサイド固定接点１３２，１３２，…とを有している。固定接点パターン１３０を図４に示すベースの床板１１１に埋め込んで溶着することにより、すべての接点の表面と床板１１１の上面とが水平になっている。コモン固定接点１３１は床板１１１の中心に配置され、その端子をベース１１０の左側面から外部へ突出させてある。サイド固定接点１３２はコモン固定接点１３１を中心とした左右対称位置に前後に並べて配置され、それぞれの端子がベース１１０の左右両側面から外部へ突出している。サイド固定接点１３２どうしは互いに間隔をあけて配置されており、隣り合う２つの接点が組になっていて、組ごとで個別に独立した制御信号（Ａ〜Ｆ）を出力する。なお、図４（ア）において固定接点パターン１３０を網掛けで示してある。
【００２８】
本実施例ではさらにコモン固定接点１３１に覆いかぶさるようにベースの床板１１１に上面視Ｈ字形をした台座１１５が設けられている。台座１１５の略中央にはコモン固定接点１３１の接点部のみが露出するように２つの開口部１１６，１１６が形成され、その開口縁及びＨ字端部に取付ピン１１７，１１７，…が突設されている。また、台座１１５を挟んだ左右両側には後述のアクチュエータ１７０を回動可能に支持するための軸受１１８が設けられている。本実施例では左右両側に４個ずつの軸受１１８を前後に並べて配置してあり、中央２個の軸受１１８は隣りの軸受も兼ねていて全部で６個のアクチュエータ１７０を支持する。軸受１１８の高さはすべて同一でかつ台座１１５の座面よりも高く設定されている。なお、台座１１５の前後両端部には後述のプレート１８０を装着するための係止孔１１９を形成してある。
【００２９】
図６に示すトップケース１２０は絶縁性プラスチックからなり、天板１２１の中央に操作レバー１５０を挿通させるため方形状に開口した貫通孔１２２が設けられている。この貫通孔１２２の開口領域が操作レバー１５０の可動領域になる。天板１２１の前面、後面、及び左右両側面にはそれぞれベースの内壁１１３を覆う外壁１２３が設けられ、各々の外壁１２３にはベースの係止爪１１４に嵌合する係止孔１２４が開設されている。
【００３０】
図７に示す操作レバー１５０は絶縁性プラスチックからなり、円柱部１５１とその下端周縁に延設した方形状のフランジ部１５２とを有している。フランジ部１５２の底面には前後両縁に沿って延びる平行な２本の横ガイド溝１５３，１５３が形成されている。また、フランジ部１５２の底面中央には左右に延びる略三角柱状の押圧突起１５４が設けられている。
【００３１】
図８に示す可動接点１４０は導電性の金属板からなり、ベース１１０の上に固定される。可動接点１４０はベースの台座１１５に合わせて幅寸法が設定された方形状の外枠１４１を有し、外枠１４１の内側には中心に沿って前後に延びる取付片１４２が設けられており、外枠１４１の四隅と取付片１４２に取付孔１４３，１４３，…が開設されている。取付片１４２の中心には１組２本のコモン接点ばね片１４４，１４４が一体に設けられ、このコモン接点ばね片１４４は水平面よりも下方に向けて反り形成されており、二股に分岐した先端に可動接点部１４５，１４５を有している。また、取付片１４２の左右両側には３組６本ずつサイド接点ばね片１４６，１４６，…が一体に設けられ、各々のサイド接点ばね片１４６は水平面よりも上方に向けて反り形成されており、二股に分岐した先端を逆に下方に向けて折り曲げた可動接点部１４７を有している。なお、本実施例ではサイド接点ばね片１４６を１組２本ずつ設けているが、これに限らず２本以上設けてもよい。
【００３２】
図９に示すスライダー１６０は絶縁性プラスチックからなり、操作レバー１５０を目的方向へとガイドする部品である。スライダー１６０はベース上面の平行な縦ガイド溝１１２にスライド可能に嵌合する２本の平行な下バー１６１，１６１と、この下バー１６１に直交する２本の平行な上バー１６２，１６２とからなり、下バー１６１の上段に上バー１６２を格子状に重ね合わせて接合した構造になっている。
【００３３】
なお、本実施例ではベース上面に縦ガイド溝１１２を形成し、操作レバー底面に横ガイド溝１５３を形成したので、スライダーの下バー１６１が縦方向、上バー１６２が横方向になっているが、これとは逆にしてもよい。つまりベース上面に横ガイド溝を、操作レバー底面に縦ガイド溝を形成し、スライダーの下バー１６１を横方向に、上バー１６２を縦方向に設定することも可能である。
【００３４】
図１０に示すアクチュエータ１７０は絶縁性プラスチックからなり、押圧体１７１と支軸１７２と連結部１７３とを備え、全体の形状としてハンマー型をしている。より詳しくは押圧体１７１の上端は略円錐台形状を有し、その下端は半球形状を有しており、支軸１７２は連結部１７３に対し直交する方向に延設され、軸受１１８によって回動可能に支持される。また、押圧体１７１の外側面は支軸１７２の軸心からの距離が略一定となるように円弧状に湾曲形成されている。なお、本実施形態では全部で６個のアクチュエータ１７０を備えている。
【００３５】
図１１に示すプレート１８０は絶縁性プラスチックからなり、ベースの台座１１５に合わせて幅寸法が設定された方形状の基板１８１を有している。基板１８１の底面には台座１１５に載置される脚部１８２，１８２，…が設けられており、中央の脚部１８２を挟んだ左右両側には、アクチュエータの押圧体１７１の上部のみを挿通させる挿通孔１８３が６箇所に開設されている。また、基板１８１の前後両端面には一対の係止爪１８４，１８４を形成してある。なお、基板１８１の底面にはベースの軸受１１８の位置に対応して凸部１８５が設けられており、この凸部１８５は軸受１１８に嵌めたアクチュエータの支軸１７２を上から押さえて抜け止めする。
【００３６】
図１２に示すように、上記の各構成部品を備えたスライドスイッチＳＷ１は、固定接点パターン１３０を装着したベース１１０の上に、まず可動接点１４０、次にアクチュエータ１７０、そしてプレート１８０、さらにスライダー１６０、操作レバー１５０、最後にトップケース１２０の順に積み重ねて組立てられる。
【００３７】
図１３はベース１１０と可動接点１４０とアクチュエータ１７０を取り付けた状態を示す。同図において可動接点の取付孔１４３にベースの取付ピン１１７を嵌めてカシメ加工することでベース１１０と可動接点１４０とが一体化される。次いで可動接点１４０の上からアクチュエータ１７０を装着する。アクチュエータの支軸１７２をベースの軸受１１８に嵌め込むとアクチュエータの押圧体１７１が２本のサイド接点ばね片１４６，１４６の上に載置される。なお、アクチュエータ１７０の装着は６個すべてについて同様に行われる。
【００３８】
図１４はプレート１８０とスライダー１６０を取り付けた状態を示す。同図においてアクチュエータ１７０の上にプレート１８０をかぶせると、プレートの挿通孔１８３にアクチュエータの押圧体１７１が嵌合し、その上部がプレートの基板１８１から突き抜けた状態になる。ここで、アクチュエータの押圧体１７１の外側面は湾曲形成されているので、アクチュエータ１７０が回動したとき挿通孔１８３の開口縁に接触することがなく、アクチュエータの押圧体１７１と挿通孔１８３との間の隙間を必要最小限に狭めることが可能になり、隙間からスイッチの接点部分への異物の侵入を未然に防ぐことができる。
【００３９】
また、プレートの脚部１８２（図１１参照）をベースの台座１１５の上に載置し、プレートの係止爪１８４をベースの係止孔１１９に嵌合することで、プレートの基板１８１は台座１１５によって水平に支持される。次いでベース１１０にスライダー１６０を装着すると、スライダーの下バー１６１がベース上面の縦ガイド溝１１２に挿入され、これによりスライダー１６０がベース１１０上を前後方向（図において上下方向）にスライド自在に収容されることになる。
【００４０】
図１５及び１６は操作レバー１５０とトップケース１２０を取り付けた状態を示す。図示したようにまずスライダー１６０に操作レバー１５０が装着される。スライダーの上バー１６２が操作レバー底面の横ガイド溝１５３に挿入され、操作レバー底面の押圧突起１５４がプレートの基板１８１の上面に当接する。最後にベース１１０の上からトップケース１２０をかぶせると、前面、後面、及び左右両側面において内壁の係止爪１１４が外壁の係止孔１２４に嵌まり、四方を壁で囲まれたハウジングが構成される。また、図１６に示すように操作レバーのフランジ部１５２がトップケースの天板１２１で押さえ付けられて抜け止めされるとともに、操作レバーの円柱部１５１のみがトップケースの貫通孔１２２からハウジング外部に突出する。これにより操作レバー１５０はハウジング内のスライダー１６０上を左右方向にスライド自在に収容されることになる。
【００４１】
ハウジング内部の接点の状態を説明すると、ベース１１０に一体化された可動接点１４０は、スライダーの下バー１６１と上バー１６２からなる枠内に収まっている。また、図１５及び１６に示した中立位置において、コモン接点ばね片の可動接点部１４５はベースの開口部１１６から露出したコモン固定接点１３１に常時接触している。一方、サイド接点ばね片の可動接点部１４７は無負荷時にはベースの床板１１１から浮いた状態でサイド固定接点１３２から離れているが、アクチュエータ１７０に押されたときだけ下方に撓み変形してサイド固定接点１３２に接触する。
【００４２】
次に、本実施例のスライドスイッチの動作原理を説明する。
【００４３】
図１７はスライドスイッチについて前後左右の各方向への動作時の状態を示したものである。同図においてはスイッチ内部の部品の動作を理解しやすくするため、操作レバーとベースとスライダー以外の部品の図示を省略してある。
【００４４】
図１５に示した中立位置において、ハウジング外部に突出した操作レバー１５０が前方向（図において下方向）に押されたとすると、ハウジング内部の状態は図１７（ア）に示したようになる。操作レバー１５０が前方向に押されたとき、操作レバー１５０に作用する力はスライダーの上バー１６２に対して直交する前方向の力である。このため、操作レバーの横ガイド溝１５３がストッパーとして機能し、スライダーの上バー１６２は前後両方向への動きが完全に規制される。それに対し、スライダーの下バー１６１は前後両方向への動きが自由であるので、ベース上面の縦ガイド溝１１２に従って前方向へとスライド動作する。その結果、操作レバー１５０とスライダー１６０が同時にベース１１０上を前方向に水平移動することになる。
【００４５】
これとは逆に、操作レバー１５０が後方向（図において上方向）に押されたときは、図１７（イ）に示したようにスライダーの下バー１６１がベースの縦ガイド溝１１２に従って後方向へとスライド動作し、これにより操作レバー１５０とスライダー１６０が同時にベース１１０上を後方向に水平移動する。
【００４６】
すなわち、操作レバー１５０が前後に動かされたときには、操作レバー１５０とスライダー１６０が一体となって同一平面上を前後方向に水平移動するようになっている。以上が前後方向のスライド動作である。
【００４７】
図１５に示す中立位置にあった操作レバー１５０が左方向に押されたとすると、ハウジング内部の状態は図１７（ウ）に示したようになる。操作レバー１５０が左方向に押されたとき、操作レバー１５０に作用する力はスライダーの下バー１６１に対して直交する左方向の力である。このため、ベースの縦ガイド溝１１２がストッパーとして機能し、スライダーの下バー１６１は左右両方向への動きが完全に規制される。それに対し、操作レバーの横ガイド溝１５３は左右両方向への動きが自由であるので、スライダーの上バー１６２に嵌まったままの状態で左方向へとスライド動作する。その結果、操作レバー１５０だけが単独でスライダー１６０上を左方向に水平移動することになる。
【００４８】
これとは逆に、操作レバー１５０が右方向に押されたときは、図１７（エ）に示したように操作レバーの横ガイド溝１５３がスライダーの上バー１６２に嵌まったままの状態で右方向へとスライド動作し、これにより操作レバー１５０だけが単独でスライダー１６０上を右方向に水平移動する。
【００４９】
すなわち、操作レバー１５０が左右に動かされたときには、操作レバー１５０だけが単独で同一平面上を左右方向に水平移動するようになっている。以上が左右方向のスライド動作である。
【００５０】
しかも、このスライドスイッチＳＷ１は上述した前後方向へのスライド動作と左右方向へのスライド動作の組み合わせによって、斜め方向へのスライド動作も可能である。例えば中立位置にあった操作レバー１５０が左斜め後方向に押された場合、操作レバー１５０に作用する力はスライダーの下バー１６１に対して直交する左方向の力成分と上バー１６２に対して直交する後方向の力成分とに分散される。このため、前者の力成分によって図１７（ウ）のように操作レバーの横ガイド溝１５３がスライダーの上バー１６２に嵌まったまま左方向へスライド動作し、このとき同時に後者の力成分によって図１７（イ）のようにスライダーの下バー１６１がベースの縦ガイド溝１１２に従って後方向へスライド動作する。その結果、操作レバー１５０とスライダー１６０が同時にベース１１０上を左斜め後方向に水平移動することになる。
【００５１】
最後に、本実施例のスライドスイッチの回路出力パターンを説明する。
【００５２】
図１８はスライドスイッチの静止時と動作時の状態を示したもの、図１９及び２０はスライドスイッチの回路出力パターンを示したものである。このスライドスイッチＳＷ１は操作レバー１５０が上述の可動領域内を水平移動することによって、以下に説明するように移動先のサイド固定接点１３２に対応する独立した制御信号（Ａ〜Ｆ）を出力する。
【００５３】
図１８（ア）は操作レバー１５０が中立位置であるホームポジションＰにあるときの状態を示す。このとき操作レバー１５０は静止しており、コモン接点ばね片１４４は、その可動接点部１４５がベースの開口部１１６から露出したコモン固定接点１３１に接触している。一方、サイド接点ばね片１４６については、その可動接点部１４７がベースの床板１１１から浮いていてサイド固定接点１３２から離れた状態であり、６組１２個あるサイド固定接点１３２−１〜１３２−１２のいずれにも接触していない。
【００５４】
よって、この場合にはコモン固定接点１３１がどのサイド固定接点１３２とも電気的に導通していないので、いかなる制御信号も出力されない。
【００５５】
図１９に示す操作レバー１５０をホームポジションＰから出力ポジションＰ１へ移動させたとき、上述した動作原理によって操作レバー１５０が目的方向へスライド動作し、これにより図１８（イ）に示すように操作レバー底面の押圧突起１５４がアクチュエータの押圧体１７１に当接してこれを下方に押圧する。このときの押圧力によってアクチュエータ１７０は支軸１７２を支点にして下方に回動し、押圧体１７１の下端が第１のサイド接点ばね片１４６−１と第２のサイド接点ばね片１４６−２の両方に当接してこれを押し下げる。その結果、第１及び第２のサイド接点ばね片１４６−１，１４６−２は同時に下方に撓み変形し、その先端の可動接点部１４７が第１のサイド固定接点１３２−１と第２のサイド固定接点１３２−２に接触する。なお、コモン接点ばね片の可動接点部１４５はコモン固定接点１３１に接触したままである。
【００５６】
よって、この場合には、図２０において可動接点１４０を介してコモン固定接点１３１と第１及び第２のサイド固定接点１３２−１，１３２−２とが電気的に導通するので、このサイド固定接点に対応する独立した制御信号“Ａ（Ｐ）”が出力される。なお、制御信号Ａ〜Ｆの後ろのカッコ内の符号は、シフトレバー２のレンジ位置を表わす。以下でも同様である。
【００５７】
一方、操作レバー１５０をホームポジションＰに戻すと、アクチュエータ１７０は操作レバー１５０の押圧力から解放され、撓み変形していた第１及び第２のサイド接点ばね片１４６−１，１４６−２が弾性復帰する。これにより可動接点部１４７が第１及び第２のサイド固定接点１３２−１，１３２−２から離れ、コモン固定接点１３１と両サイド固定接点との電気的な接続が遮断されて制御信号“Ａ（Ｐ）”の出力が停止する。
【００５８】
図１９に示す操作レバー１５０をホームポジションＰから出力ポジションＰ２へ移動させたとき、上述した動作原理によって操作レバー１５０が目的方向へスライド動作し、これにより図１８（イ）に示すように操作レバー底面の押圧突起１５４がアクチュエータの押圧体１７１に当接してこれを下方に押圧する。このときの押圧力によってアクチュエータ１７０は支軸１７２を支点にして下方に回動し、押圧体１７１の下端が第３のサイド接点ばね片１４６−３と第４のサイド接点ばね片１４６−４の両方に当接してこれを押し下げる。その結果、第３及び第４のサイド接点ばね片１４６−３，１４６−４は同時に下方に撓み変形し、その先端の可動接点部１４７が第３のサイド固定接点１３２−３と第４のサイド固定接点１３２−４に接触する。なお、コモン接点ばね片の可動接点部１４５はコモン固定接点１３１に接触したままである。
【００５９】
よって、この場合には、図２０において可動接点１４０を介してコモン固定接点１３１と第３及び第４のサイド固定接点１３２−３，１３２−４とが電気的に導通するので、このサイド固定接点に対応する独立した制御信号“Ｂ（Ｎ）”が出力される。
【００６０】
以下詳細な説明は省略するが、同様の要領で操作レバー１５０をホームポジションＰから出力ポジションＰ３，Ｐ４，Ｐ５，Ｐ６へ移動させたときには、それぞれのサイド固定接点に対応する制御信号“Ｃ（Ｒ）”、“Ｄ（Ｄ）”、“Ｅ（２）”、“Ｆ（Ｌ）”が個別に出力される。なお、操作レバー１５０はホームポジションＰからの移動に限らず、例えば出力ポジションＰ１から出力ポジションＰ２への移動のように各出力ポジション間を直接移動させることも可能である。
【００６１】
このように、本実施例のスライドスイッチＳＷ１にあっては、操作レバー１５０がトップケースの貫通孔１２２で囲まれた可動領域内を前後、左右、斜めのいかなる方向にも自由に水平移動できるようになっている。すなわち、このスイッチは操作レバー１５０が水平移動して接点を切り換える構成を採用したことにより、回転方向の狂いやガタつきが生じることがなく、操作レバー１５０を回転させずにあらゆる方向への移動が自在であることから、目的位置への正確かつスムーズな操作を実現することができる。
【００６２】
また、本実施例のスライドスイッチＳＷ１によれば、６組１２個のサイド固定接点１３２−１〜１３２−１２は組ごとにそれぞれ電気的に独立しているので、操作レバー１５０が移動した先で異なる制御信号、例えば“Ｃ（Ｒ）”と“Ｄ（Ｄ）”が同時に出力される恐れはなく、誤作動を防止できて安全性が高い。
【００６３】
さらに、本実施例のスライドスイッチＳＷ１によれば、押圧接触式スイッチとしたことにより、摺動接触式スイッチのように接点どうしの摺動接触面にグリース等の潤滑剤を塗布する必要がなく、導電性の低下や低温固化による潤滑不良などの不具合を回避できるという利点がある。また、可動接点１４０をベース１１０に位置決め固定する構成を採用したことにより、サイド接点ばね片の可動接点部１４７とサイド固定接点１３２との相対的な位置関係が変動しないため、接点どうしの位置ズレが起こらず高精度なスイッチング動作が可能になる。
【００６４】
また、アクチュエータ１７０について、その押圧体１７１の上端面と下端面を曲面形状としたことにより、操作レバーの押圧突起１５４がいかなる方向から到来した場合でも必ず押圧体１７１に当接してサイド接点ばね片１４６を撓み変形させることができるので、確実な押圧動作が保証される。しかもアクチュエータの押圧体１７１が支軸１７２を支点にして回動可能に支持される構造を採用したため、仮にサイド接点ばね片１４６が曲がっていたとしても、これに当接する押圧体１７１が傾くことがなく常に安定した水平姿勢が保たれる。さらにはサイド接点ばね片１４６を１組２本ずつ設けたことによって、一方の接点ばね片が万が一折れたり動作しなかったりしても、他方の接点ばね片が正常に動作すれば接点の切り換えが可能であるので、スイッチの動作不良が起きにくくなる。
【００６５】
［第２実施例］
本発明のスライドスイッチの第２実施例を図２１〜３６に示す。図２１は同スイッチの外観図、図２２〜２８は同スイッチを構成する各部品図、図２９は各部品間の配置関係図、図３０〜３３は同スイッチの組み付け図、図３４及び３５は同スイッチの動作説明図、図３６は同スイッチの回路出力図である。
【００６６】
まず、本実施例のスライドスイッチの構成を説明する。
【００６７】
図２１に示すように、本実施例のスライドスイッチＳＷ２も押圧接触式のスイッチであって、ベース２１０とトップケース２２０からなるハウジング内に固定接点パターン２３０と、固定接点パターン２３０の各固定接点に接離する可動接点２４０と、可動接点２４０を作動させる操作レバー２５０、スライダー２６０、アクチュエータ２７０、及びプレート２８０とを備えて構成されている。
【００６８】
図２２に示すベース２１０は絶縁性プラスチックからなり、平坦な上面を有する床板２１１が設けられ、床板２１１の左右両縁に沿って延びる平行な２本の縦ガイド溝２１２，２１２が形成されている。床板２１１の前面、後面、及び左右両側面には部品収容のための空間を形成する内壁２１３，２１３，…が設けられ、各々の内壁２１３の外側には係止爪２１４が突設されている。
【００６９】
図２２に示す固定接点パターン２３０は導電性の金属板で成形され、接点パターンとして同図のような１個のコモン固定接点２３１と６個のサイド固定接点２３２，２３２，…とを有している。接点パターンをベースの床板２１１に埋め込んで溶着することで、すべての接点の表面と床板２１１の上面とが水平になっている。コモン固定接点２３１は床板２１１の中心に配置され、その端子をベース２１０の前面から外部へ突出させてある。サイド固定接点２３２はコモン固定接点２３１を中心とした左右対称位置に３個ずつ前後に並べて配置され、それぞれの端子がベース２１０の前面から外部へ突出している。サイド固定接点２３２どうしは互いに間隔をあけて配置されているので、それぞれの接点は電気的に独立である。
【００７０】
本実施例ではさらにコモン固定接点２３１に覆いかぶさるようにベースの床板２１１の中心に沿って前後に延びる台座２１５が設けられている。台座２１５の略中央にはコモン固定接点２３１の接点部のみが露出するように開口部２１６が形成され、その開口縁には一対の取付ピン２１７，２１７が突設されている。また、台座２１５を中心にした左右対称位置には後述のアクチュエータ２７０を昇降可能に支持するための支持枠２１８が設けられている。本実施例ではサイド固定接点２３２の個数に対応して左右両側に３個ずつの支持枠２１８を前後に並べて配置してある。支持枠２１８の高さはすべて同一でかつ台座２１５の座面よりも高く設定されており、個々の支持枠２１８は後述のサイド接点ばね片２４６を通すため隙間をあけて前後に２分割した構造になっている。
【００７１】
図２３に示すトップケース２２０は絶縁性プラスチックからなり、天板２２１の中央に操作レバー２５０を挿通させるため方形状に開口した貫通孔２２２が設けられている。この貫通孔２２２の開口領域が操作レバー２５０の可動領域になる。天板２２１の前面、後面、及び左右両側面にはそれぞれベースの内壁２１３を覆う外壁２２３が設けられ、各々の外壁２２３にはベースの係止爪２１４に嵌合する係止孔２２４が開設されている。
【００７２】
図２４に示す操作レバー２５０は絶縁性プラスチックからなり、円柱部２５１とその下端周縁に延設した方形状のフランジ部２５２とを有している。フランジ部２５２の底面には前後両縁に沿って延びる平行な２本の横ガイド溝２５３，２５３が形成されている。また、フランジ部２５２の底面中央には左右に延びる細長状の押圧突起２５４が設けられている。
【００７３】
図２５に示す可動接点２４０は導電性の金属板からなり、ベース２１０の上に固定される。可動接点２４０はベースの床板２１１に合わせて幅寸法が設定された方形状の外枠２４１を有し、外枠２４１の内側には中心に沿って前後に延びる取付片２４２が設けられており、取付片２４２に一対の取付孔２４３，２４３が開設されている。取付片２４２の中心には１本のコモン接点ばね片２４４が一体に設けられ、このコモン接点ばね片２４４は水平面よりも下方に向けて反り形成されており、二股に分岐した先端に可動接点部２４５を有している。また、取付片２４２の左右両側には３本ずつサイド接点ばね片２４６，２４６，…が一体に設けられ、各々のサイド接点ばね片２４６は水平面よりも上方に向けて反り形成されており、二股に分岐した先端を逆に下方に向けて折り曲げた可動接点部２４７を有している。
【００７４】
図２６に示すスライダー２６０は絶縁性プラスチックからなり、操作レバー２５０を目的方向へとガイドする部品である。スライダー２６０はベース上面の平行な縦ガイド溝２１２にスライド可能に嵌合する２本の平行な下バー２６１，２６１と、この下バー２６１に直交する２本の平行な上バー２６２，２６２とからなり、下バー２６１の上段に上バー２６２を格子状に重ね合わせて接合した構造になっている。
【００７５】
なお、本実施例ではベース上面に縦ガイド溝２１２を形成し、操作レバー底面に横ガイド溝２５３を形成したので、スライダーの下バー２６１が縦方向、上バー２６２が横方向になっているが、これとは逆にしてもよい。つまりベース上面に横ガイド溝を、操作レバー底面に縦ガイド溝を形成し、スライダーの下バー２６１を横方向に、上バー２６２を縦方向に設定することも可能である。
【００７６】
図２７に示すアクチュエータ２７０は絶縁性プラスチックからなり、上端面と下端面を半球形状にしたカプセル型の押圧体２７１と、押圧体２７１の中央外周をひと回り太くした胴部２７２とを有している。胴部２７２はベースの支持枠２１８にスライド可能に嵌まるサイズに設定される。本実施例ではサイド固定接点２３２の個数に対応して６個のアクチュエータ２７０を備えている。
【００７７】
図２８に示すプレート２８０は絶縁性プラスチックからなり、ベースの床板２１１に合わせて幅寸法が設定された方形状の基板２８１を有している。基板２８１の底面にはベースの支持枠２１８の位置に対応して６箇所に収容溝２８２，２８２，…が設けられており、各々の収容溝２８２の中心にはアクチュエータの押圧体２７１の上部のみを挿通させる挿通孔２８３が開設されている。
【００７８】
図２９に示すように、上記の各構成部品を備えたスライドスイッチＳＷ２は、固定接点パターン２３０を装着したベース２１０の上に、まず可動接点２４０、次にアクチュエータ２７０、そしてプレート２８０、さらにスライダー２６０、操作レバー２５０、最後にトップケース２２０の順に積み重ねて組み立てられる。
【００７９】
図３０はベース２１０と可動接点２４０とアクチュエータ２７０を取り付けた状態を示す。同図において可動接点の取付孔２４３にベースの取付ピン２１７を嵌めてカシメ加工することでベース２１０と可動接点２４０とが一体化される。次いで可動接点２４０の上からアクチュエータ２７０を装着する。アクチュエータの押圧体２７１をサイド接点ばね片２４６の上に載せ、アクチュエータの胴部２７２をベースの支持枠２１８に嵌め込むことによりアクチュエータ２７０が装着される。なお、アクチュエータ２７０の装着は６個すべてについて同様に行われる。
【００８０】
図３１はプレート２８０とスライダー２６０を取り付けた状態を示す。同図においてアクチュエータ２７０の上にプレート２８０をかぶせると、プレートの挿通孔２８３にアクチュエータの押圧体２７１が嵌合し、その上部がプレートの基板２８１から突き抜けた状態になる。また、プレートの収容溝２８２にアクチュエータの胴部２７２が収容され、プレートの基板２８１は６個の支持枠２１８，２１８，…によって水平に支持される。次いでベース２１０にスライダー２６０を装着すると、スライダーの下バー２６１がベース上面の縦ガイド溝２１２に挿入され、これによりスライダー２６０がベース２１０上を前後方向（図において上下方向）にスライド自在に収容されることになる。
【００８１】
図３２及び３３は操作レバー２５０とトップケース２２０を取り付けた状態を示す。図示したようにまずスライダー２６０に操作レバー２５０が装着される。スライダーの上バー２６２が操作レバー底面の横ガイド溝２５３に挿入され、操作レバー底面の押圧突起２５４がプレートの基板２８１の上面に当接する。最後にベース２１０の上からトップケース２２０をかぶせると、前面、後面、及び左右両側面において内壁の係止爪２１４が外壁の係止孔２２４に嵌まり、四方を壁で囲まれたハウジングが構成される。また、図３３に示すように操作レバーのフランジ部２５２がトップケースの天板２２１で押さえ付けられて抜け止めされるとともに、操作レバーの円柱部２５１のみがトップケースの貫通孔２２２からハウジング外部に突出する。これにより操作レバー２５０はハウジング内のスライダー２６０上を左右方向にスライド自在に収容されることになる。
【００８２】
ハウジング内部の接点の状態を説明すると、ベース２１０に一体化された可動接点２４０は、スライダーの下バー２６１と上バー２６２からなる枠内に収まっている。また、図３２及び３３に示した中立位置において、コモン接点ばね片の可動接点部２４５はベースの開口部２１６から露出したコモン固定接点２３１に常時接触している。一方、サイド接点ばね片の可動接点部２４７は無負荷時にはベースの床板２１１から浮いた状態でサイド固定接点２３２から離れているが、アクチュエータ２７０に押されたときだけ下方に撓み変形してサイド固定接点２３２に接触する。
【００８３】
次に、本実施例のスライドスイッチの動作原理を説明する。
【００８４】
図３４はスライドスイッチについて前後左右の各方向への動作時の状態を示したものである。同図においてはスイッチ内部の部品の動作を理解しやすくするため、操作レバーとベースとスライダー以外の部品の図示を省略してある。
【００８５】
図３２に示した中立位置において、ハウジング外部に突出した操作レバー２５０が前方向（図において下方向）に押されたとすると、ハウジング内部の状態は図３４（ア）に示したようになる。操作レバー２５０が前方向に押されたとき、操作レバー２５０に作用する力はスライダーの上バー２６２に対して直交する前方向の力である。このため、操作レバーの横ガイド溝２５３がストッパーとして機能し、スライダーの上バー２６２は前後両方向への動きが完全に規制される。それに対し、スライダーの下バー２６１は前後両方向への動きが自由であるので、ベース上面の縦ガイド溝２１２に従って前方向へとスライド動作する。その結果、操作レバー２５０とスライダー２６０が同時にベース２１０上を前方向に水平移動することになる。
【００８６】
これとは逆に、操作レバー２５０が後方向（図において上方向）に押されたときは、図３４（イ）に示したようにスライダーの下バー２６１がベースの縦ガイド溝２１２に従って後方向へとスライド動作し、これにより操作レバー２５０とスライダー２６０が同時にベース２１０上を後方向に水平移動する。
【００８７】
すなわち、操作レバー２５０が前後に動かされたときには、操作レバー２５０とスライダー２６０が一体となって同一平面上を前後方向に水平移動するようになっている。以上が前後方向のスライド動作である。
【００８８】
図３２に示す中立位置にあった操作レバー２５０が左方向に押されたとすると、ハウジング内部の状態は図３４（ウ）に示したようになる。操作レバー２５０が左方向に押されたとき、操作レバー２５０に作用する力はスライダーの下バー２６１に対して直交する左方向の力である。このため、ベースの縦ガイド溝２１２がストッパーとして機能し、スライダーの下バー２６１は左右両方向への動きが完全に規制される。それに対し、操作レバーの横ガイド溝２５３は左右両方向への動きが自由であるので、スライダーの上バー２６２に嵌まったままの状態で左方向へとスライド動作する。その結果、操作レバー２５０だけが単独でスライダー２６０上を左方向に水平移動することになる。
【００８９】
これとは逆に、操作レバー２５０が右方向に押されたときは、図３４（エ）に示したように操作レバーの横ガイド溝２５３がスライダーの上バー２６２に嵌まったままの状態で右方向へとスライド動作し、これにより操作レバー２５０だけが単独でスライダー２６０上を右方向に水平移動する。
【００９０】
すなわち、操作レバー２５０が左右に動かされたときには、操作レバー２５０だけが単独で同一平面上を左右方向に水平移動するようになっている。以上が左右方向のスライド動作である。
【００９１】
しかも、このスライドスイッチＳＷ２は上述した前後方向へのスライド動作と左右方向へのスライド動作の組み合わせによって、斜め方向へのスライド動作も可能である。例えば中立位置にあった操作レバー２５０が左斜め後方向に押された場合、操作レバー２５０に作用する力はスライダーの下バー２６１に対して直交する左方向の力成分と上バー２６２に対して直交する後方向の力成分とに分散される。このため、前者の力成分によって図３４（ウ）のように操作レバーの横ガイド溝２５３がスライダーの上バー２６２に嵌まったまま左方向へスライド動作し、このとき同時に後者の力成分によって図３４（イ）のようにスライダーの下バー２６１がベースの縦ガイド溝２１２に従って後方向へスライド動作する。その結果、操作レバー２５０とスライダー２６０が同時にベース２１０上を左斜め後方向に水平移動することになる。
【００９２】
最後に、本実施例のスライドスイッチの回路出力パターンを説明する。
【００９３】
図３５はスライドスイッチの静止時と動作時の状態を示したもの、図３６はスライドスイッチの回路出力パターンを示したものである。このスライドスイッチＳＷ２は操作レバー２５０が上述の可動領域内を水平移動することによって、以下に説明するように移動先のサイド固定接点２３２−１〜２３２−６に対応する独立した制御信号を出力する。
【００９４】
図３６（ア）は操作レバー２５０が中立位置であるホームポジションＰにあるときの状態を示す。このとき操作レバー２５０は静止しており、コモン接点ばね片２４４は、図３５（ア）に示すようにその可動接点部２４５がベースの開口部２１６から露出したコモン固定接点２３１に接触している。一方、サイド接点ばね片２４６については、その可動接点部２４７がベースの床板２１１から浮いていてサイド固定接点２３２から離れた状態であり、６個あるサイド固定接点２３２−１〜２３２−６のいずれにも接触していない。
【００９５】
よって、この場合にはコモン固定接点２３１がどのサイド固定接点２３２とも電気的に導通していないので、いかなる制御信号も出力されない。
【００９６】
図３６（イ）は操作レバー２５０をホームポジションＰから出力ポジションＰ１へ移動させたときの状態を示す。このとき上述した動作原理によって操作レバー２５０がホームポジションＰから矢印Ａ方向へスライド動作し、これにより図３５（イ）に示すように操作レバー底面の押圧突起２５４がアクチュエータ２７０の上端に当接してこれを下方に押圧する。このときの押圧力によってアクチュエータ２７０は支持枠２１８内を下降し、その下端が第１のサイド接点ばね片２４６−１の上面に当接してこれを押し下げる。その結果、第１のサイド接点ばね片２４６−１は下方に撓み変形し、その先端の可動接点部２４７が第１のサイド固定接点２３２−１に接触する。なお、コモン接点ばね片の可動接点部２４５はコモン固定接点２３１に接触したままである。
【００９７】
よって、この場合には可動接点２４０を介してコモン固定接点２３１と第１のサイド固定接点２３２−１とが電気的に導通するので、第１のサイド固定接点２３２−１に対応する独立した制御信号“Ａ（Ｐ）”が出力される。なお、操作レバー２５０をホームポジションＰに戻すと、アクチュエータ２７０は操作レバー２５０の押圧力から解放され、撓み変形していた第１のサイド接点ばね片２４６−１が弾性復帰する。これにより可動接点部２４７が第１のサイド固定接点２３２−１から離れ、コモン固定接点２３１と第１のサイド固定接点２３２−１との電気的な接続が遮断されて制御信号の出力が停止する。
【００９８】
図３６（ウ）は操作レバー２５０をホームポジションＰから出力ポジションＰ２へ移動させたときの状態を示す。このとき上述した動作原理によって操作レバー２５０がホームポジションＰから矢印Ｂ方向へスライド動作し、これにより図３５（イ）に示すように操作レバー底面の押圧突起２５４がアクチュエータ２７０の上端に当接してこれを下方に押圧する。このときの押圧力によってアクチュエータ２７０は支持枠２１８内を下降し、その下端が第２のサイド接点ばね片２４６−２の上面に当接してこれを押し下げる。その結果、第２のサイド接点ばね片２４６−２は下方に撓み変形し、その先端の可動接点部２４７が第２のサイド固定接点２３２−２に接触する。なお、コモン接点ばね片の可動接点部２４５はコモン固定接点２３１に接触したままである。
【００９９】
よって、この場合には可動接点２４０を介してコモン固定接点２３１と第２のサイド固定接点２３２−２とが電気的に導通するので、第２のサイド固定接点２３２−２に対応する独立した制御信号“Ｂ（Ｎ）”が出力される。
【０１００】
以下詳細な説明は省略するが、同様の要領で操作レバー２５０をホームポジションＰから矢印Ｃ，Ｄ，Ｅ，Ｆ方向へ移動させたときには、それぞれ第３のサイド固定接点２３２−３に対応する制御信号“Ｃ（Ｒ）”、第４のサイド固定接点２３２−４に対応する制御信号“Ｄ（Ｄ）”、第５のサイド固定接点２３２−５に対応する制御信号“Ｅ（２）”、第６のサイド固定接点２３２−６に対応する制御信号“Ｆ（Ｌ）”が個別に出力される。なお、操作レバー２５０はホームポジションＰからの移動に限らず、例えば出力ポジションＰ１から出力ポジションＰ２への移動のように各出力ポジション間を直接移動させることも可能である。
【０１０１】
このように、本実施例のスライドスイッチＳＷ２にあっては、操作レバー２５０がトップケースの貫通孔２２２で囲まれた可動領域内を前後、左右、斜めのいかなる方向にも自由に水平移動できるようになっている。すなわち、このスイッチは操作レバー２５０が水平移動して接点を切り換える構成を採用したことにより、回転方向の狂いやガタつきが生じることがなく、操作レバー２５０を回転させずにあらゆる方向への移動が自在であることから、目的位置への正確かつスムーズな操作を実現することができる。
【０１０２】
また、本実施例のスライドスイッチＳＷ２によれば、６個のサイド固定接点２３２−１〜２３２−６はそれぞれ電気的に独立しているので、操作レバー２５０が移動した先で異なる制御信号、例えば“Ｃ（Ｒ）”と“Ｄ（Ｄ）”が同時に出力される恐れはなく、誤作動を防止できて安全性が高い。
【０１０３】
さらに、本実施例のスライドスイッチＳＷ２においても押圧接触式スイッチとしたことにより、摺動接触式スイッチのように接点どうしの摺動接触面にグリース等の潤滑剤を塗布する必要がなく、導電性の低下や低温固化による潤滑不良などの不具合を回避できるという利点がある。また、可動接点２４０をベース２１０に位置決め固定する構成を採用したことにより、サイド接点ばね片の可動接点部２４７とサイド固定接点２３２との相対的な位置関係が変動しないため、接点どうしの位置ズレが起こらず高精度なスイッチング動作が可能になる。しかもアクチュエータ２７０の上端面及び下端面を曲面形状にしたカプセル型に構成したことによって、操作レバーの押圧突起２５４がいかなる方向から到来した場合でも必ずアクチュエータ２７０に当接してサイド接点ばね片２４６を撓み変形させることができるので、確実な押圧動作が保証される。
【０１０４】
［第３実施例］
本発明のスライドスイッチの第３実施例を図３７〜４８に示す。図３７は同スイッチの外観図、図３８〜４１は同スイッチを構成する各部品図、図４２は各部品間の配置関係図、図４３〜４５は同スイッチの組み付け図、図４６及び４７は同スイッチの動作説明図、図４８は同スイッチの回路出力図である。
【０１０５】
まず、本実施例のスライドスイッチの構成を説明する。
【０１０６】
図３７に示すように、本実施例のスライドスイッチＳＷ３は摺動接触式のスイッチであって、ベース３１０とトップケース３２０からなるハウジング内に固定接点パターン３３０と、固定接点パターン３３０の各固定接点に接離する可動接点３４０と、可動接点３４０を作動させる操作レバー３５０及びスライダー３６０とを備えて構成されている。
【０１０７】
図３８に示すベース３１０は絶縁性プラスチックからなり、平坦な上面を有する床板３１１が設けられ、床板３１１の左右両縁に沿って延びる平行な２本の縦ガイド溝３１２，３１２が形成されている。床板３１１の前面、後面、及び左右両側面には部品収容のための空間を形成する内壁３１３，３１３，…が設けられ、各々の内壁３１３の外側には係止爪３１４が突設されている。
【０１０８】
図３８に示す固定接点パターン３３０は導電性の金属板で成形され、接点パターンとして同図のような１個のコモン固定接点３３１と６個のサイド固定接点３３２，３３２，…とを有している。接点パターンをベースの床板３１１に埋め込んで溶着することで、すべての接点の表面と床板３１１の上面とが水平になっている。コモン固定接点３３１は床板３１１の中心に配置され、その端子をベース３１０の前面から外部へと突出させてある。サイド固定接点３３２はコモン固定接点３３１を中心とした左右対称位置に３個ずつ前後に並べて配置され、それぞれの端子がベース３１０の前面から外部へ突出している。サイド固定接点３３２どうしは互いに間隔をあけて配置されているので、それぞれの接点は電気的に独立である。
【０１０９】
図３９に示すトップケース３２０は絶縁性プラスチックからなり、天板３２１の中央に操作レバー３５０を挿通させるため方形状に開口した貫通孔３２２が設けられている。この貫通孔３２２の開口領域が操作レバー３５０の可動領域になる。天板３２１の前面、後面、及び左右両側面にはそれぞれベースの内壁３１３を覆う外壁３２３が設けられ、各々の外壁３２３にはベースの係止爪３１４に嵌合する係止孔３２４が開設されている。
【０１１０】
図４０に示す操作レバー３５０は絶縁性プラスチックからなり、円柱部３５１とその下端周縁に延設した方形状のフランジ部３５２とを有している。フランジ部３５２の底面には前後両縁に沿って延びる平行な２本の横ガイド溝３５３，３５３が形成されている。また、フランジ部３５２の底面には横ガイド溝３５３の内側に一対の取付ピン３５４，３５４が突設されている。
【０１１１】
同図に示す可動接点３４０は導電性の金属板で成形され、取付片３４１と２本の接点ばね片３４３，３４３とを有している。取付片３４１には一対の取付孔３４２，３４２が開設されており、取付孔３４２にフランジ部の取付ピン３５４を嵌めてカシメ加工することで操作レバー３５０と可動接点３４０とが一体化される。２本の接点ばね片３４３，３４３は共に所定のばね力を持たせるため水平面よりも下方に向けて反り形成されており、二股に分岐した先端には下方に湾曲した可動接点部３４４，３４４を有している。
【０１１２】
図４１に示すスライダー３６０は絶縁性プラスチックからなり、操作レバー３５０を目的方向へとガイドする部品である。スライダー３６０はベース上面の平行な縦ガイド溝３１２にスライド可能に嵌合する２本の平行な下バー３６１，３６１と、この下バー３６１に直交する２本の平行な上バー３６２，３６２とからなり、下バー３６１の上段に上バー３６２を格子状に重ね合わせて接合した構造になっている。
【０１１３】
なお、本実施例ではベース上面に縦ガイド溝３１２を形成し、操作レバー底面に横ガイド溝３５３を形成したので、スライダーの下バー３６１が縦方向、上バー３６２が横方向になっているが、これとは逆にしてもよい。つまりベース上面に横ガイド溝を、操作レバー底面に縦ガイド溝を形成し、スライダーの下バー３６１を横方向に、上バー３６２を縦方向に設定することも可能である。
【０１１４】
図４２に示すように、上記の各構成部品を備えたスライドスイッチＳＷ３は、固定接点パターン３３０を装着したベース３１０の上に、まずスライダー３６０、次に可動接点３４０を装着した操作レバー３５０、最後にトップケース３２０の順に積み重ねて組み立てられる。
【０１１５】
図４３〜４５は組み立て後のスライドスイッチの内部構造を示したものである。図４３についてはスイッチ内部における各部品の位置関係を理解しやすくするため、トップケースの上から内部の構造を透視した状態を示している。
【０１１６】
図示したように、ベース３１０にスライダー３６０と操作レバー３５０を載置して上からトップケース３２０をかぶせると、前面、後面、及び左右両側面において内壁の係止爪３１４が外壁の係止孔３２４に嵌まり、四方を壁で囲まれたハウジングが構成される。そしてこのハウジング内にスライダー３６０と操作レバー３５０が収容される。
【０１１７】
スライダーの下バー３６１は、図４４に示すようにベース上面の縦ガイド溝３１２に挿入される。これによりスライダー３６０はハウジング内のベース３１０上を前後方向（図において紙面と直交する方向）にスライド自在に収容される。一方、スライダーの上バー３６２は図４５に示すように操作レバー底面の横ガイド溝３５３に挿入される。また、フランジ部３５２がトップケースの天板３２１で押さえ付けられて抜け止めされるとともに、円柱部３５１のみがトップケースの貫通孔３２２からハウジング外部に突出する。これにより操作レバー３５０はハウジング内のスライダー３６０上を左右方向にスライド自在に収容されることになる。
【０１１８】
ハウジング内部の接点の状態を説明すると、操作レバー３５０に装着された可動接点３４０は、図４３に示すようにスライダーの下バー３６１と上バー３６２からなる枠内に収まっている。また、図４３〜４５に示した中立位置において、２本の接点ばね片３４３は共に先端の可動接点部３４４がベース３１０上の１個のコモン固定接点３３１に接触しているが、６個のサイド固定接点３３２，３３２，…のいずれにも接触していない。
【０１１９】
次に、本実施例のスライドスイッチの動作原理を説明する。
【０１２０】
図４６はスライドスイッチについて前後方向への動作時の状態を示したものである。同図においてはスイッチ内部の部品の動作を理解しやすくするため、ベースとスライダー以外の部品の図示を省略してある。
【０１２１】
いま、図４３に示した中立位置においてハウジング外部に突出した操作レバー３５０が前方向（図において下方向）に押されたとすると、ハウジング内部の状態は図４６（イ）に示したようになる。操作レバー３５０が前方向に押されたとき、操作レバー３５０に作用する力はスライダーの上バー３６２に対して直交する前方向の力である。このため、操作レバーの横ガイド溝３５３がストッパーとして機能し、スライダーの上バー３６２は前後両方向への動きが完全に規制される。それに対し、スライダーの下バー３６１は前後両方向への動きが自由であるので、ベース上面の縦ガイド溝３１２に従って前方向へとスライド動作する。その結果、操作レバー３５０とスライダー３６０が同時にベース３１０上を前方向に水平移動することになる。
【０１２２】
これとは逆に、操作レバー３５０が後方向（図において上方向）に押されたときは、図４６（ウ）に示したようにスライダーの下バー３６１がベースの縦ガイド溝３１２に従って後方向へとスライド動作し、これにより操作レバー３５０とスライダー３６０が同時にベース３１０上を後方向に水平移動する。
【０１２３】
すなわち、操作レバー３５０が前後に動かされたときには、操作レバー３５０とスライダー３６０が一体となって同一平面上を前後方向に水平移動するようになっている。以上が前後方向のスライド動作である。
【０１２４】
図４７はスライドスイッチについて左右方向への動作時の状態を示したものである。同図においてはスイッチ内部の部品の動作を理解しやすくするため、操作レバーとスライダー以外の部品の図示を省略してある。
【０１２５】
いま、図４３に示す中立位置にあった操作レバー３５０が左方向に押されたとすると、ハウジング内部の状態は図４７（ウ）に示したようになる。操作レバー３５０が左方向に押されたとき、操作レバー３５０に作用する力はスライダーの下バー３６１に対して直交する左方向の力である。このため、ベースの縦ガイド溝３１２がストッパーとして機能し、スライダーの下バー３６１は左右両方向への動きが完全に規制される。それに対し、操作レバーの横ガイド溝３５３は左右両方向への動きが自由であるので、スライダーの上バー３６２に嵌まったままの状態で左方向へとスライド動作する。その結果、操作レバー３５０だけが単独でスライダー３６０上を左方向に水平移動することになる。
【０１２６】
これとは逆に、操作レバー３５０が右方向に押されたときは、図４７（エ）に示したように操作レバーの横ガイド溝３５３がスライダーの上バー３６２に嵌まったままの状態で右方向へとスライド動作し、これにより操作レバー３５０だけが単独でスライダー３６０上を右方向に水平移動する。
【０１２７】
すなわち、操作レバー３５０が左右に動かされたときには、操作レバー３５０だけが単独で同一平面上を左右方向に水平移動するようになっている。以上が左右方向のスライド動作である。
【０１２８】
さらに、このスライドスイッチＳＷ３は上述した前後方向へのスライド動作と左右方向へのスライド動作の組み合わせによって、斜め方向へのスライド動作も可能である。例えば中立位置にある操作レバー３５０が左斜め後方向に押された場合、操作レバー３５０に作用する力はスライダーの下バー３６１に対して直交する左方向の力成分と上バー３６２に対して直交する後方向の力成分とに分散される。このため、前者の力成分によって図４７（ウ）のように操作レバーの横ガイド溝３５３がスライダーの上バー３６２に嵌まったまま左方向へスライド動作し、このとき同時に後者の力成分によって図４７（ウ）のようにスライダーの下バー３６１がベースの縦ガイド溝３１２に従って後方向へスライド動作する。その結果、操作レバー３５０とスライダー３６０が同時にベース３１０上を左斜め後方向に水平移動することになる。
【０１２９】
最後に、本実施例のスライドスイッチの回路出力パターンを説明する。
【０１３０】
図４８はスライドスイッチの回路出力パターンを示したものである。このスライドスイッチＳＷ３は操作レバー３５０が上述の可動領域内を水平移動することによって、以下に説明するように移動先のサイド固定接点３３２−１〜３３２−６に対応する独立した制御信号を出力する。
【０１３１】
図４８（ア）は操作レバー３５０が中立位置であるホームポジションＰにあるときの状態を示す。このとき２本の接点ばね片３４３ａと３４３ｂはコモン固定接点３３１に接触しているが、６個あるサイド固定接点３３２−１，３３２−２，…，３３２−６のいずれにも接触していない。より詳細には、４個ある可動接点部３４４ａ〜３４４ｄのうち外側２個の可動接点部３４４ａ，３４４ｄがコモン固定接点３３１と第２のサイド固定接点３３２−２及び第４のサイド固定接点３３２−４との間にあるベース３１０上、つまり絶縁部上に位置している。
【０１３２】
よって、この場合にはコモン固定接点３３１がどのサイド固定接点３３２とも電気的に導通していないので、いかなる制御信号も出力されない。
【０１３３】
図４８（イ）は操作レバー３５０をホームポジションＰから出力ポジションＰ１へ移動させたときの状態を示す。このとき上述した動作原理によって操作レバー３５０がホームポジションＰから矢印Ａ方向へスライド動作し、その結果、左側の接点ばね片３４３ａの可動接点部３４４ａ，３４４ｂが第１のサイド固定接点３３２−１に接触し、これと同時に右側の接点ばね片３４３ｂの可動接点部３４４ｃ，３４４ｄがコモン固定接点３３１に接触したまま摺動する。
【０１３４】
よって、この場合には可動接点３４０を介してコモン固定接点３３１と第１のサイド固定接点３３２−１とが電気的に導通するので、第１のサイド固定接点３３２−１に対応する独立した制御信号“Ａ（Ｐ）”が出力される。なお、操作レバー３５０をホームポジションＰに戻すと、左側の接点ばね片３４３ａの可動接点部３４４ａ，３４４ｂが第１のサイド固定接点３３２−１から離れ、コモン固定接点３３１と第１のサイド固定接点３３２−１との電気的な接続が遮断されて制御信号の出力が停止する。
【０１３５】
図４８（ウ）は操作レバー３５０をホームポジションＰから出力ポジションＰ２へ移動させたときの状態を示す。このとき上述した動作原理によって操作レバー３５０がホームポジションＰから矢印Ｂ方向へスライド動作し、その結果、左側の接点ばね片３４３ａの可動接点部３４４ａ，３４４ｂが第２のサイド固定接点３３２−２に接触し、これと同時に右側の接点ばね片３４３ｂの可動接点部３４４ｃ，３４４ｄがコモン固定接点３３１に接触したまま摺動する。
【０１３６】
よって、この場合には可動接点３４０を介してコモン固定接点３３１と第２のサイド固定接点３３２−２とが電気的に導通するので、第２のサイド固定接点３３２−２に対応する独立した制御信号“Ｂ（Ｎ）”が出力される。
【０１３７】
以下詳細な説明は省略するが、同様の要領で操作レバー３５０をホームポジションＰから矢印Ｃ，Ｄ，Ｅ，Ｆ方向へ移動させたときには、それぞれ第３のサイド固定接点３３２−３に対応する制御信号“Ｃ（Ｒ）”、第４のサイド固定接点３３２−４に対応する制御信号“Ｄ（Ｄ）”、第５のサイド固定接点３３２−５に対応する制御信号“Ｅ（２）”、第６のサイド固定接点３３２−６に対応する制御信号“Ｆ（Ｌ）”が個別に出力される。なお、操作レバー３５０はホームポジションＰからの移動に限らず、例えば出力ポジションＰ１から出力ポジションＰ２への移動のように各出力ポジション間を直接移動させることも可能である。
【０１３８】
このように、本実施例のスライドスイッチＳＷ３にあっては、操作レバー３５０がトップケースの貫通孔３２２で囲まれた可動領域内を前後、左右、斜めのいかなる方向にも自由に水平移動できるようになっている。すなわち、このスイッチは操作レバー３５０が水平移動して接点を切り換える構成を採用したことにより、回転方向の狂いやガタつきが生じることがなく、操作レバー３５０を回転させずにあらゆる方向への移動が自在であることから、目的位置への正確かつスムーズな操作を実現することができる。
【０１３９】
また、本実施例のスライドスイッチＳＷ３によれば、６個のサイド固定接点３３２−１〜３３２−６はそれぞれ電気的に独立しているので、操作レバー３５０が移動した先で異なる制御信号が同時に出力されることはなく、誤作動を防止できて安全性が高い。
【産業上の利用可能性】
【０１４０】
上述した実施形態においては本発明のスライドスイッチを車両用自動変速機に設置してレンジ選択検出用スイッチとして適用したが、本発明の用途はこれに限られるものではない。他にも例えば車両に装備されたアウトサイドミラーの角度を調節するミラー調節用スイッチのような、目的方向への正確かつスムーズな操作性を必要とするスイッチ全般に利用することが可能である。
【図面の簡単な説明】
【０１４１】
【図１】本発明のスライドスイッチが適用された車両用自動変速機の外観を示す図である。
【図２】本発明のスライドスイッチとシフトレバーとの連結構造の別例を示す図である。
【図３】第１実施例のスライドスイッチの外観を示す図で、（ア）は上面図、（イ）は右側面図、（ウ）は前面図である。
【図４】同スイッチのベースと固定接点パターンの構成を示す図で、（ア）は上面図、（イ）は右側面図、（ウ）はＡ−Ａ線断面図、（エ）はＢ−Ｂ線断面図である。
【図５】同スイッチの固定接点パターンの構成を示す図である。
【図６】同スイッチのトップケースの構成を示す図で、（ア）は上面図、（イ）は右側面図、（ウ）は前面図、（エ）は底面図、（オ）はＡ−Ａ線断面図である。
【図７】同スイッチの操作レバーの構成を示す図で、（ア）は上面図、（イ）は右側面図、（ウ）は前面図、（エ）は底面図である。
【図８】同スイッチの可動接点の構成を示す図で、（ア）は上面図、（イ）は右側面図、（ウ）は前面図である。
【図９】同スイッチのスライダーの構成を示す図で、（ア）は上面図、（イ）は右側面図、（ウ）は前面図、（エ）は底面図である。
【図１０】同スイッチのアクチュエータの構成を示す図で、（ア）は上面図、（イ）は右側面図、（ウ）は前面図、（エ）は底面図である。
【図１１】同スイッチのプレートの構成を示す図で、（ア）は上面図、（イ）は右側面図、（ウ）はＡ−Ａ線断面図、（エ）は底面図である。
【図１２】同スイッチの各部品間の配置関係を示す図である。
【図１３】同スイッチのベースと可動接点とアクチュエータを組み付けた状態を示す図である。
【図１４】同スイッチのプレートとスライダーを組み付けた状態を示す図である。
【図１５】同スイッチの操作レバーとトップケースを組み付けた状態を示す図である。
【図１６】図１５に示すＡ−Ａ線断面図である。
【図１７】同スイッチの動作説明図で、（ア）は前方向動作時の状態を示す図、（イ）は後方向動作時の状態を示す図、（ウ）は左方向動作時の状態を示す図、（エ）は右方向動作時の状態を示す図である。
【図１８】同スイッチの動作説明図で、（ア）は静止時の状態を示す断面図、（イ）は動作時の状態を示す断面図である。
【図１９】同スイッチの回路出力パターンを示す説明図である。
【図２０】同スイッチの回路出力パターンを示す説明図である。
【図２１】第２実施例のスライドスイッチの外観を示す図で、（ア）は上面図、（イ）は右側面図、（ウ）は前面図である。
【図２２】同スイッチのベースと固定接点パターンの構成を示す図で、（ア）は上面図、（イ）は右側面図、（ウ）はＡ−Ａ線断面図、（エ）は前面図、（オ）はＢ−Ｂ線断面図である。
【図２３】同スイッチのトップケースの構成を示す図で、（ア）は上面図、（イ）は右側面図、（ウ）は前面図、（エ）は底面図である。
【図２４】同スイッチの操作レバーの構成を示す図で、（ア）は上面図、（イ）は右側面図、（ウ）は前面図、（エ）は底面図である。
【図２５】同スイッチの可動接点の構成を示す図で、（ア）は上面図、（イ）は右側面図、（ウ）は前面図、（エ）は底面図である。
【図２６】同スイッチのスライダーの構成を示す図で、（ア）は上面図、（イ）は右側面図、（ウ）は前面図、（エ）は底面図である。
【図２７】同スイッチのアクチュエータの構成を示す図で、（ア）は上面図、（イ）は右側面図、（ウ）は前面図、（エ）は底面図である。
【図２８】同スイッチのプレートの構成を示す図で、（ア）は上面図、（イ）はＡ−Ａ線断面図、（ウ）はＢ−Ｂ線断面図、（エ）は底面図である。
【図２９】同スイッチの各部品間の配置関係を示す図である。
【図３０】同スイッチのベースと可動接点とアクチュエータを組み付けた状態を示す図である。
【図３１】同スイッチのプレートとスライダーを組み付けた状態を示す図である。
【図３２】同スイッチの操作レバーとトップケースを組み付けた状態を示す図である。
【図３３】図３２に示すＡ−Ａ線断面図である。
【図３４】同スイッチの動作説明図で、（ア）は前方向動作時の状態を示す図、（イ）は後方向動作時の状態を示す図、（ウ）は左方向動作時の状態を示す図、（エ）は右方向動作時の状態を示す図である。
【図３５】同スイッチの動作説明図で、（ア）は静止時の状態を示す断面図、（イ）は動作時の状態を示す断面図である。
【図３６】同スイッチの回路出力パターンを示す説明図で、（ア）は操作レバーがホームポジションＰにあるときの状態を示す図、（イ）は操作レバーが出力ポジションＰ１に移動したときの状態を示す図、（ウ）は操作レバーが出力ポジションＰ２に移動したときの状態を示す図である。
【図３７】第３実施例のスライドスイッチの外観を示す図で、（ア）は上面図、（イ）は右側面図、（ウ）は前面図である。
【図３８】同スイッチのベースと固定接点パターンの構成を示す図で、（ア）は上面図、（イ）は右側面図、（ウ）はＡ−Ａ線断面図、（エ）は前面図、（オ）はＢ−Ｂ線断面図である。
【図３９】同スイッチのトップケースの構成を示す図で、（ア）は上面図、（イ）は右側面図、（ウ）は前面図、（エ）は底面図である。
【図４０】同スイッチの操作レバーと可動接点の構成を示す図で、（ア）は上面図、（イ）は右側面図、（ウ）は前面図、（エ）は底面図である。
【図４１】同スイッチのスライダーの構成を示す図で、（ア）は上面図、（イ）は右側面図、（ウ）は前面図、（エ）は底面図である。
【図４２】同スイッチの各部品間の配置関係を示す図である。
【図４３】同スイッチの組み付け状態を示す図である。
【図４４】図４３に示すＡ−Ａ線断面図である。
【図４５】図４３に示すＢ−Ｂ線断面図である。
【図４６】同スイッチの動作説明図で、（ア）は断面図、（イ）は前方向動作時の状態を示す図、（ウ）は後方向動作時の状態を示す図である。
【図４７】同スイッチの動作説明図で、（ア）は上面図、（イ）は右側面図、（ウ）は左方向動作時の状態を示す図、（エ）は右方向動作時の状態を示す図である。
【図４８】同スイッチの回路出力パターンを示す説明図で、（ア）は操作レバーがホームポジションＰにあるときの状態を示す図、（イ）は操作レバーが出力ポジションＰ１に移動したときの状態を示す図、（ウ）は操作レバーが出力ポジションＰ２に移動したときの状態を示す図である。
【符号の説明】
【０１４２】
ＳＷ１…スライドスイッチ
１１０…ベース
１１１…床板
１１２…縦ガイド溝
１１３…内壁
１１４…係止爪
１１５…台座
１１６…開口部
１１７…取付ピン
１１８…軸受
１１９…係止孔
１２０…トップケース
１２１…天板
１２２…貫通孔
１２３…外壁
１２４…係止孔
１３０…固定接点パターン
１３１…コモン固定接点
１３２…サイド固定接点
１４０…可動接点
１４１…外枠
１４２…取付片
１４３…取付孔
１４４…コモン接点ばね片
１４５…可動接点部
１４６…サイド接点ばね片
１４７…可動接点部
１５０…操作レバー
１５１…円柱部
１５２…フランジ部
１５３…横ガイド溝
１５４…押圧突起
１６０…スライダー
１６１…下バー
１６２…上バー
１７０…アクチュエータ
１７１…押圧体
１７２…支軸
１７３…連結部
１８０…プレート
１８１…基板
１８２…脚部
１８３…挿通孔
１８４…係止爪
１８５…凸部
ＳＷ２…スライドスイッチ
２１０…ベース
２１１…床板
２１２…縦ガイド溝
２１３…内壁
２１４…係止爪
２１５…台座
２１６…開口部
２１７…取付ピン
２１８…支持枠
２２０…トップケース
２２１…天板
２２２…貫通孔
２２３…外壁
２２４…係止孔
２３０…固定接点パターン
２３１…コモン固定接点
２３２…サイド固定接点
２４０…可動接点
２４１…外枠
２４２…取付片
２４３…取付孔
２４４…コモン接点ばね片
２４５…可動接点部
２４６…サイド接点ばね片
２４７…可動接点部
２５０…操作レバー
２５１…円柱部
２５２…フランジ部
２５３…横ガイド溝
２５４…押圧突起
２６０…スライダー
２６１…下バー
２６２…上バー
２７０…アクチュエータ
２７１…押圧体
２７２…胴部
２８０…プレート
２８１…基板
２８２…収容溝
２８３…挿通孔
ＳＷ３…スライドスイッチ
３１０…ベース
３１１…床板
３１２…縦ガイド溝
３１３…内壁
３１４…係止爪
３２０…トップケース
３２１…天板
３２２…貫通孔
３２３…外壁
３２４…係止孔
３３０…固定接点パターン
３３１…コモン固定接点
３３２…サイド固定接点
３４０…可動接点
３４１…取付片
３４２…取付孔
３４３…接点ばね片
３４４…可動接点部
３５０…操作レバー
３５１…円柱部
３５２…フランジ部
３５３…横ガイド溝
３５４…取付ピン
３６０…スライダー
３６１…下バー
３６２…上バー
【図１】
2007184220.tif 000003
【図２】
2007184220.tif 000004
【図３】
2007184220.tif 000005
【図４】
2007184220.tif 000006
【図５】
2007184220.tif 000007
【図６】
2007184220.tif 000008
【図７】
2007184220.tif 000009
【図８】
2007184220.tif 000010
【図９】
2007184220.tif 000011
【図１０】
2007184220.tif 000012
【図１１】
2007184220.tif 000013
【図１２】
2007184220.tif 000014
【図１３】
2007184220.tif 000015
【図１４】
2007184220.tif 000016
【図１５】
2007184220.tif 000017
【図１６】
2007184220.tif 000018
【図１７】
2007184220.tif 000019
【図１８】
2007184220.tif 000020
【図１９】
2007184220.tif 000021
【図２０】
2007184220.tif 000022
【図２１】
2007184220.tif 000023
【図２２】
2007184220.tif 000024
【図２３】
2007184220.tif 000025
【図２４】
2007184220.tif 000026
【図２５】
2007184220.tif 000027
【図２６】
2007184220.tif 000028
【図２７】
2007184220.tif 000029
【図２８】
2007184220.tif 000030
【図２９】
2007184220.tif 000031
【図３０】
2007184220.tif 000032
【図３１】
2007184220.tif 000033
【図３２】
2007184220.tif 000034
【図３３】
2007184220.tif 000035
【図３４】
2007184220.tif 000036
【図３５】
2007184220.tif 000037
【図３６】
2007184220.tif 000038
【図３７】
2007184220.tif 000039
【図３８】
2007184220.tif 000040
【図３９】
2007184220.tif 000041
【図４０】
2007184220.tif 000042
【図４１】
2007184220.tif 000043
【図４２】
2007184220.tif 000044
【図４３】
2007184220.tif 000045
【図４４】
2007184220.tif 000046
【図４５】
2007184220.tif 000047
【図４６】
2007184220.tif 000048
【図４７】
2007184220.tif 000049
【図４８】
2007184220.tif 000050